(57)【要約】  電極アセンブリを介して組織を治療する電気外科用器具を開示する。この電気外科用器具は、少なくとも１つの活性電極と、吸引された物質を収集し、手術部位からこのような吸引された物質を除去して前記物質が溶融することにより吸引システムが詰まるのを防止する吸引システムと、を有する。少なくとも１つの実施形態では、吸引システムは、吸引された物質を収集し、吸引された物質を断熱して吸引された物質が吸引システム内で溶融することにより吸引システムが詰まるのを防止するために器具の遠位端に位置決めされた内部吸引収集チャンバを備えてもよい。内部吸引収集チャンバはこのほか、内部吸引収集チャンバの露出を、活性電極から電気外科用器具のシャフト内の吸引システムのチャネルまで延びる最小サイズの支持アームに制限することによって、活性電極からの加熱を低減してもよい。
2020500671.tif 000002
【特許請求の範囲】
【請求項１】
組織を治療するための電気外科用器具であって、
シャフトと、
電極アセンブリであって、
少なくとも１つの活性電極と、
少なくとも１つの絶縁体を介して前記活性電極から分離される少なくとも１つの対極板とを具備し、
前記少なくとも１つの絶縁体は、手術部位から吸引された物質を受け取り、前記吸引された物質を前記電気外科用器具内で通過させるように構成された内部吸引収集チャンバを形成し、
前記内部吸引収集チャンバは少なくとも１つの吸引入口と流体連通する、電極アセンブリと、
手術部位から物質を除去する吸引システムであって、前記吸引システムは、前記シャフトを通って延びるチャネルと、前記内部吸引収集チャンバと、前記少なくとも１つの吸引入口とによって形成された少なくとも１つの導管を備える、吸引システムと、を具備する、電気外科用器具。
【請求項２】
前記少なくとも１つの絶縁体は、前記吸引システムの前記チャネルの遠位先端に結合され、前記吸引システムの前記チャネルの長手方向軸と直交しないほぼ平坦な外面を用いて前記少なくとも１つの活性電極を支持する、請求項１に記載の電気外科用器具。
【請求項３】
前記少なくとも１つの活性電極のほぼ平坦な外面は、前記吸引システムの前記チャネルの長手方向軸と概ね平行に位置決めされる、請求項２に記載の電気外科用器具。
【請求項４】
前記少なくとも１つの絶縁体によって前記少なくとも１つの活性電極の外面を前記電気外科用器具の前記シャフトから分離する、請求項１に記載の電気外科用器具。
【請求項５】
前記少なくとも１つの活性電極は、前記少なくとも１つの活性電極のほぼ平坦な外面から前記吸引システムの前記チャネルの長手方向軸に向かって内方に延びる支持アームを備え、それによって、前記支持アームは、前記吸引システムの前記チャネルの遠位端にてネジ山に螺着されるように構成されるネジ山付き支持オリフィスを備える、請求項１に記載の電気外科用器具。
【請求項６】
前記ネジ山付き支持オリフィスは、前記吸引システムの前記内部吸引収集チャンバを前記吸引システムの前記少なくとも１つのチャネルに結合する、請求項５に記載の電気外科用器具。
【請求項７】
前記内部吸引収集チャンバの長手方向軸を、前記吸引システムの前記チャネルの長手方向軸と非平行に位置決めする、請求項１に記載の電気外科用器具。
【請求項８】
前記内部吸引収集チャンバの長手方向軸を前記吸引システムの前記チャネルの長手方向軸と直交するように位置決めする、請求項１に記載の電気外科用器具。
【請求項９】
前記内部吸引収集チャンバは、遠位線形表面、第１の近位線形表面及び第２の近位線形表面によって少なくとも部分的に画定された細長いチャンバである、請求項１に記載の電気外科用器具。
【請求項１０】
前記遠位線形表面は、前記第１及び第２の近位線形表面と位置合わせされ、それぞれが前記内部吸引収集チャンバの長手方向軸と位置合わせされ、前記内部吸引収集チャンバの長手方向軸は、前記吸引システムの前記チャネルの長手方向軸と直交して位置決めされる、請求項９に記載の電気外科用器具。
【請求項１１】
前記内部吸引収集チャンバは、第１の区画及び第２の区画から形成され、それによって、 前記第１の区画は、前記第２の区画よりも大きな断面積を有し、前記第１の区画は、前記第２の区画よりも前記少なくとも１つの活性電極に近接して位置決めされる、請求項９に記載の電気外科用器具。
【請求項１２】
前記少なくとも１つの絶縁体は、ポケットであって、その中に前記活性電極の支持アームの一部が延びるポケットを備え、前記活性電極の近位方向対向面が、前記少なくとも１つの絶縁体の遠位方向対向面に接触し、前記少なくとも１つの絶縁体の近位方向対向面を前記電気外科用器具の遠位方向対向面に接触させ、それによって、前記活性電極の前記支持アームが前記電気外科用器具の前記シャフトに螺合するときに前記活性電極の前記支持アームが前記少なくとも１つの絶縁体を前記電気外科用器具の前記シャフトに固定できるようにすることによって、前記活性電極及び前記少なくとも１つの絶縁体を前記電気外科用器具の前記シャフトに固定する、請求項１に記載の電気外科用器具。
【請求項１３】
前記活性電極の外面がサンドブラスト仕上げ粗面である、請求項１に記載の電気外科用器具。
【請求項１４】
前記少なくとも１つの絶縁体はセラミックから形成される、請求項１に記載の電気外科用器具。
【請求項１５】
前記吸引システムの前記導管の一部を形成する前記チャネルの位置を、前記チャネルと前記シャフトとの間の空洞に注入された膨張物質を介して維持する、請求項１に記載の電気外科用器具。
【請求項１６】
組織を治療するための電気外科用器具であって、
シャフトと、
電極アセンブリであって、
少なくとも１つの活性電極と、
少なくとも１つの絶縁体を介して前記活性電極から分離される少なくとも１つの対極板とを具備し、
前記少なくとも１つの絶縁体は、手術部位から吸引された物質を受け取り、前記吸引された物質を前記電気外科用器具内で通過させるように構成された内部吸引収集チャンバを形成し、
前記内部吸引収集チャンバは少なくとも１つの吸引入口と流体連通する、電極アセンブリと、
手術部位から物質を除去する吸引システムであって、前記吸引システムは、前記シャフトを通って延びるチャネルと、前記内部吸引収集チャンバと、前記少なくとも１つの吸引入口とによって形成された少なくとも１つの導管を備える、吸引システムと、を具備する、電気外科用器具において、
前記少なくとも１つの絶縁体は、前記吸引システムの前記チャネルの遠位先端に結合され、前記電気外科用器具の前記シャフトの長手方向軸に直交するほぼ平坦な外面によって前記少なくとも１つの活性電極を支持し、
前記少なくとも１つの活性電極は、前記ほぼ平坦な外面から前記吸引システムの前記チャネルの長手方向軸に向かって内方に延びる支持アームを備え、それによって、前記支持アームは、前記吸引システムの前記チャネルの遠位端にてネジ山に螺着されるように構成されるネジ山付き支持オリフィスを備える、電気外科用器具。
【請求項１７】
前記少なくとも１つの活性電極のほぼ平坦な外面は、前記吸引システムの前記チャネルの長手方向軸に概ね平行に位置決めされ、前記少なくとも１つの活性電極のほぼ平坦な外面は、前記少なくとも１つの絶縁体によって前記電気外科用器具の前記シャフトから分離され、前記ネジ山付き支持オリフィスは、前記吸引システムの前記内部吸引収集チャンバを前記吸引システムの前記少なくとも１つの導管に結合する、請求項１６に記載の電気外科用器具。
【請求項１８】
前記内部吸引収集チャンバは、遠位線形表面、第１の近位線形表面及び第２の近位線形表面によって少なくとも部分的に画定された細長いチャンバであり、前記遠位線形表面は、前記第１及び第２の近位線形表面と位置合わせされ、それぞれが前記内部吸引収集チャンバの長手方向軸と位置合わせされ、前記内部吸引収集チャンバの長手方向軸は、前記吸引システムの前記チャネルの長手方向軸と直交して位置決めされ、前記内部吸引収集チャンバは、第１の区画及び第２の区画から形成され、それによって、前記第１の区画は前記第２の区画よりも大きい断面積を有し、前記第１の区画は前記少なくとも１つの活性電極に近接して位置決めされる、請求項１６に記載の電気外科用器具。
【請求項１９】
前記少なくとも１つの絶縁体は、ポケットであって、その中に前記活性電極の前記支持アームの一部が延びるポケットを備え、前記活性電極の近位方向対向面が、前記少なくとも１つの絶縁体の遠位方向対向面に接触し、前記少なくとも１つの絶縁体の近位方向対向面を前記電気外科用器具の遠位方向対向面に接触させ、それによって、前記活性電極の前記支持アームが前記電気外科用器具の前記シャフトに螺合するときに前記活性電極の前記支持アームが前記少なくとも１つの絶縁体を前記電気外科用器具の前記シャフトに固定できるようにすることによって、前記活性電極及び前記少なくとも１つの絶縁体を前記電気外科用器具の前記シャフトに固定する、請求項１６に記載の電気外科用器具。
【請求項２０】
前記活性電極の外面がサンドブラスト仕上げ粗面であり、前記少なくとも１つの絶縁体はセラミックから形成される、請求項１６に記載の電気外科用器具。
【発明の詳細な説明】
【技術分野】
【０００１】
本開示は、電気外科用医療装置に概ね関し、さらに詳細には、医療処置にて患者の組織を切除するように構成された電気外科用医療装置に関する。
【背景技術】
【０００２】
切除装置は、さまざまな医療処置にて患者の組織を除去するために使用されてきた。多くの切除装置は、手術部位から切除された組織および体液を除去する吸引システムを備える。いくつかの装置は、切除ハンドピース内に吸引システムを備え、切除ハンドピースの遠位先端に吸引入口を備える。切除物質は、遠位先端の吸引入口を通って吸引システム内に吸引される。吸引システムでは、物質が収集され、後で除去される。このような従来の吸引システムの多くは、外科手術中に詰まって使用できなくなる。多くの場合、吸引システムの側面では、吸引システムのこのような側面は、吸引システム内の吸引された物質が吸引システムの壁に溶着する程度に活性電極によって加熱されるため、切除ハンドピースの遠位先端にて詰まりが発生する。溶融した吸引物質は、切除装置にとって非常に問題があることが明らかである。このため、手持ち式切除装置用のいっそう頑強な吸引システムが必要とされている。
【発明の概要】
【０００３】
電極アセンブリを介して組織を治療する電気外科用器具が開示される。この電気外科用器具は、少なくとも１つの活性電極と、吸引された物質を収集し、そのような吸引された物質を手術部位から除去して、物質が溶融して吸引システムが詰まりを起こすのを防止するように構成された吸引システムと、を有する。少なくとも１つの実施形態では、吸引システムは、吸引された物質が吸引システム内で溶融して吸引システムを詰まらせるのを防止するために吸引物質を収集し、吸引物質を断熱するために器具の遠位端に配置された内部吸引収集チャンバを備えてもよい。内部吸引収集チャンバはこのほか、内部吸引収集チャンバの露出を、活性電極から電気外科用器具のシャフト内に位置決めされた吸引システムのチャネルまで延びる最小サイズの支持アームに制限することによって、活性電極からの加熱を低減してもよい。吸引システムは、吸引された物質の溶融を排除しないにしても減少させるために、１つ又は複数の断熱物質から形成されてもよい。吸引システムは、吸引システムとシャフトとの間の空洞に注入された膨張物質を介して電気外科用器具のシャフト内の所定位置に維持されてもよい。電気外科用器具はこのほか、ウォームアップ期間を必要とせずに始動時から一貫した性能を提供するためにサンドブラスト仕上げ粗面を有する活性電極を介して従来のシステムよりも効率的に動作するように構成されてもよい。
【０００４】
少なくとも１つの実施形態では、組織を治療するための電気外科用器具は、シャフトと、電極アセンブリと、１つ又は複数の活性電極と、少なくとも１つの絶縁体を介して活性電極から分離されている１つ又は複数の対極板と、を備えてもよい。電気外科用器具は、手術部位から吸引された物質を受け取り、吸引された物質を電気外科用器具内に通過させるように構成された内部吸引収集チャンバを形成する１つ又は複数の絶縁体を備えてもよい。内部吸引収集チャンバは、１つ又は複数の吸引入口と流体連通してもよい。電気外科用器具は、手術部位から物質を除去する吸引システムを備えてもよい。吸引システムは、シャフトを通って延びるチャネルと、内部吸引収集チャンバと、吸引入口とによって形成された１つ又は複数の導管を備える。
【０００５】
絶縁体は、非限定的にセラミックなどの非導電性物質から形成されて、吸引された物質内の任意の物質の最低融点未満の温度を維持してもよい。絶縁体は、吸引システムのチャネルの遠位先端に結合され、吸引システムのチャネルの長手方向軸に直交しないほぼ平坦な外面を有する活性電極を支持してもよい。少なくとも１つの活性電極のほぼ平坦な外面は、吸引システムのチャネルの長手方向軸と実質的に平行に位置決めされてもよい。活性電極の外面は、絶縁体によって電気外科用器具のシャフトから分離されてもよい。
【０００６】
活性電極は、活性電極のほぼ平坦な外面から吸引システムのチャネルの長手方向軸に向かって内方に延びる支持アームを備えてもよい。それによって支持アームは、吸引システムのチャンネルの遠位端にてネジ山に螺着するように構成されたネジ山付き支持オリフィスを備える。ネジ山付き支持オリフィスは、吸引システムの内部吸引収集チャンバを吸引システムの導管に結合してもよい。
【０００７】
絶縁体内の内部吸引収集チャンバの長手方向軸を、吸引システムのチャネルの長手方向軸と非平行に位置決めしてもよい。少なくとも１つの絶縁体内の内部吸引収集チャンバの長手方向軸を、吸引システムのチャネルの長手方向軸と直交するように位置決めしてもよい。内部吸引収集チャンバは、遠位線形表面、第１の近位線形表面および第２の近位線形表面によって少なくとも部分的に画定される細長いチャンバであってもよい。遠位線形表面は、第１および第２の近位線形表面と位置合わせされてもよく、それぞれが内部吸引収集チャンバの長手方向軸と位置合わせされる。内部吸引収集チャンバの長手方向軸は、吸引システムのチャネルの長手方向軸と直交して位置決めされてもよい。内部吸引収集チャンバは、第１の区画と第２の区画とから形成されてもよく、それによって、第１の区画は第２の区画よりも大きい断面積を有し、第１の区画は第２の区画よりも活性電極に近接して位置決めされる。絶縁体は、ポケットであって、その中に活性電極の支持アームの一部が延在するポケットを備える。このポケットでは、活性電極の近位方向対向面が絶縁体の遠位方向対向面と接触し、絶縁体の近位方向対向面を電気外科用器具の遠位方向対向面と接触させ、それによって、活性電極の支持アームが電気外科用器具のシャフトに螺合されるときに、活性電極の支持アームが電気外科用器具のシャフトに絶縁体を固定することを可能にすることによって、活性電極および絶縁体を電気外科用器具のシャフトに固定する。
【０００８】
電気外科用器具はこのほか、サンドブラスト仕上げ外面に限定されないがサンドブラスト仕上げ外面のような粗面を有する活性電極を介して従来のシステムよりも効率的に作動し、ウォームアップ期間を必要とせずに始動時から一貫した性能を提供するように構成されてもよい。粗面によって、活性電極は、始動期間及び定常状態操作を通して一貫して作動する。
【０００９】
電気外科用器具は、吸引システムの導管の一部を形成するチャネルの位置が、チャネルとシャフトとの間の空洞に注入された膨張物質を介して維持されるように構成されてもよい。少なくとも１つの実施形態では、吸引システムは、注入オーバーモールドによってシャフト内の所定位置に維持されてもよい。
【００１０】
電気外科用器具の利点には、電気外科用器具が、吸引された物質を収集し、そのような吸引された物質を手術部位から除去して、吸引された物質が溶融して吸引システムが詰まりを起こすのを防止するように構成された非導電性内部吸引収集チャンバを備えることが挙げられる。
【００１１】
電気外科用器具の別の利点には、内部吸引収集チャンバを形成する絶縁体が活性電極と最小限接触し、それによって絶縁体および内部吸引収集チャンバの加熱が軽減することが挙げられる。
【００１２】
電気外科用器具のさらに別の利点には、活性電極が、サンドブラスト仕上げ外面に限定されないがサンドブラスト仕上げ外面のような粗面を備え、ウォームアップ期間を必要とせずに始動時から一貫した性能を提供し、それによって従来のシステムより効率的に動作することが挙げられる。
【００１３】
電気外科用器具の別の利点には、吸引システムの一部を形成するチャネルの位置が、チャネルとシャフトとの間の空洞に注入された膨張物質を介して維持され得るように電気外科用器具が構成され、それによって、完全ではないにしても、電気外科用器具の外側シャフト内の構成要素のいかなる移動もほぼ排除し得ることが挙げられる。
【００１４】
このような実施形態をはじめとする実施形態を以下にてさらに詳細に説明する。
【図面の簡単な説明】
【００１５】
【図１】電極アセンブリを介して組織を治療するための電気外科用器具の斜視図。
【図２】図１に示す電気外科用器具の分解斜視図。
【図３】図２の細線３‐３で切断した電気外科用器具の遠位端の詳細図。
【図４】図３の切断線４‐４で切断した電気外科用器具の遠位端の断面斜視図。
【図５】電気外科用器具の遠位端の側面図。
【図６】図３の切断線４‐４で切断した電気外科用器具の遠位端の断面側面図。
【発明を実施するための形態】
【００１６】
図１〜図６に示すように、電極アセンブリ１２を介して組織を治療するための電気外科用器具１０が開示される。この電気外科用器具は、吸引された物質を収集し、手術部位２０からこのような吸引された物質１８を除去するように構成された少なくとも１つの活性電極１４および吸引システム１６を有し、物質１８が溶融し、それによって吸引システム１６を詰まらせることを防止する。少なくとも１つの実施形態では、吸引システム１６は、吸引された物質１８を収集し、吸引された物質１８を断熱して吸引された物質１８が吸引システム１６内で溶融し、それによって吸引システム１６を詰まらせるのを防止するために器具１０の遠位端２４に位置決めされた内部吸引収集チャンバ２２を備えてもよい。内部吸引収集チャンバ２２はこのほか、内部吸引収集チャンバ２２の露出を、活性電極１４から電気外科用器具１０のシャフト３０内に位置決めされた吸引システム１６のチャネル２８まで延びる最小サイズの支持アーム２６に限定することによって、活性電極１４からの熱を軽減させてもよい。吸引システム１６は、吸引された物質の溶融を排除しないまでも軽減するために、１つ又は複数の断熱物質から形成されてもよい。吸引システム１６は、吸引システム１６とシャフト３０との間の空洞３２内に注入された膨張物質を介して電気外科用器具１０のシャフト３０内の所定の位置に維持されてもよい。電気外科用器具１０はこのほか、ウォームアップ期間を必要とせずに起動時から一貫した性能を提供するためにサンドブラスト仕上げ粗面４２を有する活性電極１４を介して従来のシステムよりも効率的に動作するように構成されてもよい。
【００１７】
少なくとも１つの実施形態では、電気外科用器具１０は、図１および図２に示すように、ハンドル３６から遠位方向に延びるシャフト３０を備えてもよい。シャフト３０は、電極アセンブリ１２を支持し、手術中の電極アセンブリ１２の使用を容易にするための任意の適切なサイズおよび構成を有してもよい。ハンドル３６も同じように、電極アセンブリ１２を支持し、手術中の電極アセンブリ１２の使用を容易にするための任意の適切なサイズおよび構成を有してもよい。シャフト３０およびハンドル３６は、任意の適切な物質から形成されてもよい。
【００１８】
電気外科用器具１０は、図１〜図６に示すように、１つ又は複数の活性電極１４および１つ又は複数の対極板３８によって形成された電極アセンブリ１２を備えてもよい。対極板３８は、少なくとも１つの絶縁体４０を介して活性電極１４から分離されてもよい。活性電極１４は、少なくとも１つの外面４２が露出した状態で、内部吸引収集チャンバ２２の遠位端４２上に位置決めされてもよい。対極板３８は、内部吸引収集チャンバ２２の遠位端４２の近傍に位置決めされるが、絶縁体４０を介して活性電極１４から分離されてもよい。対極板３８は、露出した少なくとも１つの外面４４を備えてもよい。少なくとも１つの実施形態では、絶縁体４０は、手術部位２０から吸引された物質１８を受け取り、吸引された物質１８を電気外科用器具１０内に通過させるように構成された内部吸引収集チャンバ２２を形成してもよい。内部吸引収集チャンバ２２は、少なくとも１つの吸引入口４６と流体連通してもよい。電気外科用器具１０は、手術部位２０から物質１８を除去する吸引システム１６を備えてもよい。それによって、吸引システム１６は、シャフト３０を通って延びるチャネル２８、内部吸引収集チャンバ２２および吸引入口４６によって形成された１つ又は複数の導管４８を備える。
【００１９】
少なくとも１つの実施形態では、活性電極１４の外面４２は、活性電極１４と対極板３８との間のエネルギー伝達を促進するように構成されてもよい。絶縁体４０は、吸引システム１６のチャネル２８の遠位先端５０に結合されてもよく、活性電極１４を支持してもよい。活性電極１４は、吸引システム１６のチャネル２８の長手方向軸５２に直交せず、実質的に平面であり得る外面４２を備えてもよい。活性電極１４のほぼ平坦な外面４２は、吸引システム１６のチャネル２８の長手方向軸５２と概ね平行に位置決めされてもよい。外面４２は、絶縁体４０によって電気外科用器具１０のシャフト３０から分離されてもよい。
【００２０】
少なくとも１つの実施形態では、活性電極１４は、図４および図６に示すように、活性電極１４のほぼ平坦な外面４２から吸引システム１６のチャネル２８の長手方向軸５２に向かって内方に延びる支持アーム２６を備えてもよい。支持アーム２６は、吸引システム２０のチャネル２８の遠位端５０にてネジ山５６に螺着されるように構成されたネジ山付き支持オリフィス５４を備えてもよい。ネジ山付き支持オリフィス５４は、吸引システム１６の内部吸引収集チャンバ２２を吸引システム１６のチャネル２８に結合してもよい。少なくとも１つの実施形態では、支持アーム２６は、内部吸引収集チャンバ２２の１つ又は複数の出口５８と位置合わせされてもよい。少なくとも１つの実施形態では、内部吸引収集チャンバ２２はチャネル２８に結合された単一の出口５８を備えてもよい。出口５８は、管状構成を有してもよいが、これに限定されない。単一の管状出口５８は、内部吸引収集チャンバ２２を形成する側壁から直交して延びてもよい。単一の管状出口５８は、活性電極１４との接触を最小限にして、活性電極１４から内部吸引システム１６の一部を形成する近位シャフト３０に伝達される切除熱の量を制限して組織が内部吸引システム１６内で溶融する可能性を低下させるように構成されてもよい。
【００２１】
少なくとも１つの実施形態では、内部吸引収集チャンバ２２は、図４および図６に示すように、絶縁体４０によって形成されてもよい。絶縁体４０は、セラミックに限定されないがセラミックのような１つ又は複数の非導電性物質から形成されてもよい。少なくとも１つの実施形態では、内部吸引収集チャンバ２２は絶縁体４０として機能してもよい。内部吸引収集チャンバ２２は活性対極板１４、３８を分離してもよく、吸引された流体および組織に限定されないが吸引された流体および組織のような吸引された物質１８を手術部位２０から電気外科用器具１０のシャフト３０内の吸引チャネル２８内に導くように構成されてもよい。内部吸引収集チャンバ２２がセラミックから形成される実施形態では、セラミック製内部吸引収集チャンバ２２は、構成要素が金属から形成された場合よりも切除過程から多くの熱を吸収しない。結果として、電気外科用器具１０は、金属から形成された従来のシステムよりもはるかに良好に機能する。内部吸引収集チャンバ２２は、吸引システム１６内で吸引された組織が吸引システム１６の壁に溶着するのを防止する。従来のシステムでは、吸引システム内で吸引された組織が吸引システムの壁に溶着し、それによってシステムが詰まる。対照的に、内部吸引収集チャンバ２２は、吸引システム１６内で吸引された組織が吸引システム１６の壁に溶着するのを防止することによって、吸引システム１６の詰まりを防止する。
【００２２】
内部吸引収集チャンバ２２は、内部吸引収集チャンバ２２の長手方向軸６０が吸引システム１６のチャネル２８の長手方向軸５２と非平行に位置決めされ得るように構成されてもよい。少なくとも１つの実施形態では、内部吸引収集チャンバ２２の長手方向軸６０は、吸引システム１６のチャネル２８の長手方向軸５２に直交して位置決めされてもよい。内部吸引収集チャンバ２２は、遠位線形表面６２、第１の近位線形表面６４および第２の近位線形表面６６によって少なくとも部分的に画定される細長いチャンバであってもよい。遠位線形表面６２は、第１および第２の近位線形表面６４、６６と位置合わせされてもよく、それぞれが内部吸引収集チャンバ２２の長手方向軸６０と位置合わせされ、それによって内部吸引収集チャンバ２２の長手方向軸６０は、吸引システム１６のチャネル２８の長手方向軸５２に直交して位置決めされてもよい。図６に示すように、内部吸引収集チャンバ２２は、第１の区画６８と第２の区画７０とから形成されてもよく、それによって第１の区画６８は第２の区画７０よりも大きな断面積を有し、第２の区画７０よりも少なくとも１つの活性電極１４の近傍に位置決めされる。断面は、内部吸引収集チャンバ２２の長手方向軸６０に直交する平面内に延びる。第１の区画６８は、活性電極１４を通って吸引システム１６内を流れる物質が第２の区画７０に流入する前にまず第１の区画６８に流入するように、活性電極１４と第２の区画７０との間に位置決めされてもよい。第１および第２の区画６８、７０は、部分的には、活性電極１４から内部吸引収集チャンバ２２の底面７２まで延びる遠位線形表面６２によって形成されてもよい。遠位線形表面６２と第２の区画７０の一部を形成する第２の近位線形表面６６との間の最短距離は、遠位線形表面６２と第１の区画６８の一部を形成する第１の近位線形表面６４との間の最短距離よりも小さい。このように、第２の近位線形表面６６は、第１の近位線形表面６４よりも内部吸引収集チャンバ２２の長手方向軸６０の近傍に位置決めされてもよい。
【００２３】
絶縁体４０は、絶縁体４０および支持アーム２６がチャネル２８の遠位端５０に螺合されると、干渉によって保持されている絶縁体４０の一部を介して絶縁体４０がシャフト３０に堅固に取り付けられるように構成されてもよい。特に、図６に示すように、絶縁体４０は、ポケット７４であって、その中に活性電極１４の支持アーム２６の一部７６が延びるポケット７４を備えてもよい。活性電極１４の近位方向対向面８０が、絶縁体４０の遠位方向対向面８２に接触してもよく、絶縁体４０の近位方向対向面８４を電気外科用器具１０の遠位方向対向面８６に接触させ、それにより、活性電極１４の支持アーム２６が電気外科用器具１０のシャフト３０に螺合されるときに活性電極１４の支持アーム２６が絶縁体４０を電気外科用器具１０のシャフト３０に固定するのを可能にすることによって、活性電極１４および絶縁体４０を電気外科用器具１０のシャフト３０に固定する。
【００２４】
電気外科用器具１０は、吸引システム１６の導管４８の一部を形成するチャネル２８の位置が、チャネル２８とシャフト３０との間の空洞３２内に注入された膨張物質を介して維持されるように構成されてもよい。特に、吸引システム１６は、注入オーバーモールドを介してシャフト３０内の所定位置に維持されてもよい。例えば、電気外科用器具１０が、外側管状シャフト３０内に設置された流体吸引システム１６のチャネル２８と、絶縁体４０から形成された遠位先端８８であって、活性電極１４と、流体吸引チャネル２８および外側管状ハウジングに取り付けられた対極板３８と、を備える遠位先端８８と、を備えて組み立てられたのちに、１つ又は複数の内部空洞３２は、内部空洞３２内で全体的に膨張する液体物質を注入され、電気外科用器具１０の外側シャフト３０内の構成要素に電気絶縁および構造的支持を提供してもよい。
【００２５】
少なくとも１つの実施形態では、活性電極１４の外面４２は、サンドブラスト仕上げ粗面に限定されないがサンドブラスト仕上げ粗面のような粗面であってもよい。活性電極１４の粗面化された外面４２は、表面積を増加させ、始動時に電気外科用器具１０のさらに一貫した性能を提供し得る。活性電極のサンドブラスト仕上げ外面のない従来の設計では、約１分間使用した後でなければ一貫した動作が得られない。活性電極１４の外面がサンドブラスト仕上げされた場合、電気外科用器具１０は始動時から一貫した性能を提供し、ウォームアップ期間を必要としなかった。
【００２６】
使用中、電気外科用器具１０は、外科手術部位２０から組織を切除するために使用されてもよい。活性電極１４は、任意の適切な電気外科用制御ユニットによって電力が供給され、制御されてもよい。活性電極１４の粗面化された外面４２は、始動状態から定常状態での動作まで一貫して動作する。活性電極１４が組織を切除している間に、吸引システム１６を作動させて、手術部位２０から組織、体液をはじめとする物質を除去してもよい。吸引システム１６は（図示しない）吸引発生器に取り付けられてもよい。吸引システム１６は、活性電極１４内に位置決めされていてもよいが必須ではない１つ又は複数の吸引入口４６を通して物質を吸引してもよい。物質は吸引入口４６を通って流れ、内部吸引収集チャンバ２２内に収集される。内部吸引収集チャンバ２２は、セラミックに限定されないがセラミックのような１つ又は複数の非導電性物質から形成されているため、内面、具体的には遠位線形表面６２、第１の近位線形表面６４、第２の線形表面６６および底面７２は、吸引された物質の融点より低い温度に留まる。このため、吸引された物質は、内部吸引収集チャンバ２２内で溶融しないため、吸引システム１６を詰まらせない。そのような構成は、電気外科用器具１０の動作効率を大幅に向上させる。
【００２７】
上記は、本発明の実施形態を例示し、説明し、記載する目的で提供される。このような実施形態に対する修正および適応が、当業者には明らかであり、本発明の範囲又は主旨から逸脱することなく実施されてもよい。
【図１】
2020500671.tif 000003
【図２】
2020500671.tif 000004
【図３】
2020500671.tif 000005
【図４】
2020500671.tif 000006
【図５】
2020500671.tif 000007
【図６】
2020500671.tif 000008
【国際調査報告】
2020500671.tif 000009